(57)【特許請求の範囲】
【請求項１】
ブロアファンから送風空調風を車室内に吹出す第１の吹出し口および第２の吹出し口と、
前記第１および第２の吹出し口から吹出される風量をそれぞれ調節する吹出風量調整手段と、
前記第１の吹出し口から吹き出される空調風風量の変動周期と前記第２の吹出し口から吹き出される空調風風量の変動周期を略逆位相とし、前記第１および第２の吹出し口から吹き出される空調風風量の変動周期を、前記ブロファンの送風風量が大きいほど短くなるように、前記吹出風量調整手段を駆動する制御手段とを備え、
前記第１および第２の吹出し口は、それら吹出し口からそれぞれ送風される空調風が車室内を互いに逆回りに巡回するような位置に設けられており、
前記第１の吹出し口からの空調風が前記車室内を一巡するまでは、前記第２の吹出し口からの空調風の吹出しを前記第１の吹き出し口からの空調風の吹き出しよりも小さくし、前記第１の吹出し口からの空調風が前記車室内を一巡した後は、その第１の吹出し口からの空調風の吹出しを小さくして、前記第２の吹出し口からの空調風の吹き出しを、前記第１の吹き出し口からの空調風の吹き出しよりも大きくするように前記吹出風量調整手段を制御することを特徴とする車両用空調装置。
【請求項２】
請求項１に記載の車両用空調装置において、
前記各変動周期において、前記ブロアファンの送風風量を一定としたときにより多くの風量を吹出す吹出し口から空調風を吹出している期間が、吹出し風量の少ない他の吹出し口から吹き出す期間よりも短くなるように前記変動周期を設定することを特徴とする車両用空調装置。
【請求項３】
請求項１または２に記載の車両用空調装置において、
前記空調風風量の変動周期は、一方の吹出し口から空調風を吹出している間は、他方の吹出し口から空調風を吹き出さないように空調風風量が変動する周期であることを特徴とする車両用空調装置。
【発明の詳細な説明】
【技術分野】
【０００１】
本発明は車両用空調装置に関する。
【背景技術】
【０００２】
複数の吹出し口からの送風を周期的に切替えて、ゆらぎ風として送風する車両用空調装置が知られている。例えば特許第２７８７６１３号公報の第５欄第２行〜第９行には、前席用空調ユニットの脈動パターンと後席用空調ユニットの脈動パターンとが干渉を生じないように決定され、後席用空調ユニットから後席空間へ供給される脈動風が前席空間に供給される脈動風によって損なわれてしまう虞れが少なくなることが記載されている。
【特許文献１】特許第２７８７６１３号公報
【発明の開示】
【発明が解決しようとする課題】
【０００３】
しかしながら上述の技術では、前席用空調ユニットの脈動パターンと後席用空調ユニットの脈動パターンが干渉を生じないように決定されるだけで、車内に気流が回りきらず、温度分布が十分に解消されないという問題があった。
【課題を解決するための手段】
【０００４】
（１）請求項１の発明による車両用空調装置は、ブロアファンから送風されて調和制御された空調風を車室内にそれぞれ吹出す第１の吹出し口および第２の吹出し口と、第１および第２の吹出し口から吹出される風量をそれぞれ調節する吹出風量調整手段と、第１の吹出し口から吹き出される空調風風量の変動周期と第２の吹出し口から吹き出される空調風風量の変動周期を略逆位相とし、第１および第２の吹出し口から吹き出される空調風風量の変動周期を、ブロファンの送風風量が大きいほど短くなるように、吹出風量調整手段を駆動する制御手段とを備え、第１および第２の吹出し口は、それら吹出し口からそれぞれ送風される空調風が車室内を互いに逆回りに巡回するような位置に設けられており、第１の吹出し口からの空調風が車室内を一巡するまでは、第２の吹出し口からの空調風の吹出しを第１の吹き出し口からの空調風の吹き出しよりも小さくし、第１の吹出し口からの空調風が車室内を一巡した後は、その第１の吹出し口からの空調風の吹出しを小さくして、第２の吹出し口からの空調風の吹き出しを、第１の吹き出し口からの空調風の吹き出しよりも大きくするように吹出風量調整手段を制御することを特徴とする。
（２）請求項２の発明は、請求項１に記載の車両用空調装置において、各変動周期において、ブロアファンの送風風量を一定としたときにより多くの風量を吹出す吹出し口から空調風を吹出している期間が、吹出し風量の少ない他の吹出し口から吹き出す期間よりも短くなるように変動周期を設定することを特徴とする。
（３）請求項３の発明は、請求項１または２に記載の車両用空調装置において、空調風風量の変動周期は、一方の吹出し口から空調風を吹出している間は、他方の吹出し口から空調風を吹き出さないように空調風風量が変動する周期であることを特徴とする。
【発明の効果】
【０００５】
本発明によれば、車室内の温度分布を減少させ、車内の快適性が向上する車両用空調装置を提供することが可能となる。
【発明を実施するための最良の形態】
【０００６】
＜１．車両用空調装置の構成（図１、図２）＞
図１は、本発明の第１の実施の形態による車両用空調装置ＡＣの全体構成を示す図である。車両用空調装置ＡＣは、そのケース１０内に、ファン１１を駆動するブロアモータ１２と、ファン１１により送風された空気を除湿、冷却するエバポレータ１３と、エバポレータ１３で除湿、冷却された送風空気を再加熱するヒータコア１４と、ヒータコア１４への配風比を調節するエアミックスドア１５とを備えている。ケース１０のインテーク部には、内気導入口７からの吸気もしくは外気導入口８からの吸気の切り換えを行う内気外気切替ドア６が設けられている。また、ケース１０の下部には、エバポレータ１３で凝縮された空気中の水分（凝縮水）を車外に排出するためのドレン排出口１６が設けられている。
【０００７】
内気外気切替ドア６で選択された車両室内または車外もしくはその双方の空気は、電圧で制御されるブロアモータ１２により駆動されるファン１１で加圧、送風され、エバポレータ１３を通過して除湿、冷却される。エバポレータ１３には液冷媒が供給され、この液冷媒がエバポレータ１３で気化することで、送風空気が除湿、冷却される。なお、気化した冷媒は、車両のエンジンで駆動される不図示の冷媒圧縮機で圧縮され、不図示のコンデンサで冷却および凝縮される。エバポレータ１３を通過した空気は、エアミックスドア１５により決定される配風比でヒータコア１４を通過する空気と、ヒータコア１４を通過しない空気とに分配される。エアミックスドア１５で分配されてヒータコア１４を通過した空気とヒータコア１４を通過しなかった空気とは、ヒータコア１４の下流で再び合流し、車室内に供給される。
【０００８】
車両用空調装置ＡＣは、空調空気を車両内へ配風するために、車両のインストルメントパネル上に設けられたベント口１７と、ベント口１７に接続されるベントダクト１９と、ベントダクト１９を開閉するベントドア１８と、デフ口２０と、デフ口２０に接続されるデフダクト２２と、デフダクト２２を開閉するデフドア２１と、フット口２３と、フット口２３に接続されるフットダクト２５と、フットダクト２５を開閉するフットドア２４とを備えている。
【０００９】
図２は、上記車両用空調装置ＡＣのシステム構成を示す図である。図２に示すように、車両用空調装置ＡＣは、マイクロコンピュータを構成するオートエアコンアンプ３０と、車両用空調装置ＡＣで温度制御するために必要な熱負荷を検出するための各種の熱負荷センサ群３５と、各種ドアを開閉するアクチュエータ６ａ，１５ａ，１８ａ，２１ａ，２４ａとを備えている。オートエアコンアンプ３０は、車室内が乗員の設定した設定温度になるよう熱負荷センサ群３５からの情報を基に空調運転条件の演算を行う。演算された空調運転条件に基づいて、オートエアコンアンプ３０は、所定のファン速（風量）となるようブロアモータ１２の電圧ＶＦを制御するとともに、エアミックスドア１５の開度Ｍ、内気外気切替ドア６の切換位置および各ドア１８，２１，２４の開度を各ドアのアクチュエータ６ａ，１５ａ，１６ａ，１８ａ，２１ａ，２４ａにより制御する。
【００１０】
エアミックスドア１５の開度Ｍおよび、ブロアモータ１２の電圧ＶＦは、次の式で表される。
Ｍ＝ｆ1（Ｔw，Ｔam，Ｔin，Ｔs，Ｔptc，Ｑ）    ・・・（１）
ＶＦ＝ｆ2（Ｍ）    ・・・（２）
【００１１】
ここで、Ｔwはエンジン出口水温、Ｔamは外気温度、Ｔinは車室内温度、Ｔsはファン吸い込み空気温度、Ｔptcは車両内設定温度、Ｑは日射量であり、これらは、車両用空調装置の熱負荷に関するパラメータである。また、Ｍが所定値以上でエアミックスドア１５は全開（フルホット位置）となる。
【００１２】
車両用空調装置ＡＣはさらに、車両用空調装置ＡＣを操作するための各種操作スイッチが設けられた空調操作盤１０１と、車両用空調装置ＡＣの状態や空調操作盤１０１の操作状態などを表示する表示装置１０２とを備えている。空調操作盤１０１および表示装置１０２は、車室内のインストルメントパネル上に設けられている。
【００１３】
上記構成の車両用空調装置ＡＣは、オートエアコンアンプ３０によりブロアモータ１２の電圧（回転数）と、内気外気切替ドア６の切換位置と、エアミックスドア１５および各ドア１８，２１，２４の開度を制御して、車室内が設定温度になるよう風量、温度を調節した空調風を車室内に送風する。
【００１４】
＜２．第１の実施の形態の作用（図３、図４）＞
図３は、本発明の第１の実施の形態による車両用空調装置ＡＣの適用例を示す車室内の概略平面図である。例えば車室内前方にベント口１７が４つ設置され、左２つのベント口１７ａをそれぞれ開閉する２つの右ベントドアと、右２つのベント口１７ｂをそれぞれ開閉する２つの左ベントドアとが設けられ、ブロアファンからの送風風量によって各ベント口から送風される風量が略等しいものとする。そして、各左右ベントドアの開度調整により、左２つのベント口１７ａと右２つのベント口１７ｂとの間で風量を交互に変化、つまり風量が逆位相となるよう時間変化させて、実線と波線で示すゆらぎ風を生成する。なお、実線は左ベント口１７ａからの吹出し風であり、破線は右ベント口１７ｂからの吹出し風である。
【００１５】
図４は、左右のベント口１７ａと１７ｂから吹き出される風量が逆位相となるようにベントドアを時間変化させる一例を示し、左ベントドアが開のときは右ベントドアを閉とし、その逆に、右ベントドアが開のときは左ベントドアを閉とする。図４で示すＴはゆらぎ周期、あるいは変動周期と呼び、左右ベントドアの開閉周期を示している。この実施の形態では、このゆらぎ周期Ｔを要求風量（熱負荷から演算されるブロアファンの送風風量）に応じて図５に示すように設定する。ゆらぎ周期Ｔについて次に詳細に説明する。
【００１６】
左側のベント口１７ａから送風している時、その風量が大きければ、風は早く車室内を左回りに巡って、車室内右前方に至る。一方、右側のベント口１７ｂから送風している時は、上記の逆で右回りとなる。すなわち、ゆらぎ周期Ｔは、左右のベント口からの風が車室内をそれぞれ一巡するに要する時間に基づいて設定される。したがって、要求風量が小さければ、風が車内を巡って左前方に至るには時間がかかるので、図５に示すように、風量が増えるほどゆらぎ周期Ｔを短くする。これにより、風量にかかわらず一方のベント口から吹き出された風が他方のベント口に到達し、他方のベント口から吹き出された風が一方のベント口に到達するように、各吹出し風が車内を一巡する。
【００１７】
図６は、本発明の第１の実施の形態による車両用空調装置ＡＣの処理動作を説明するフローチャートである。この処理は、図１の車両用空調装置ＡＣのオートエアコンアンプ３０によって、例えば１０秒程度の一定期間ごとに定期的に実行される。
【００１８】
ステップＳ１１において、送風中で且つゆらぎ風設定されている状態か否かを判定する。なお、ゆらぎ風設定はユーザの好みで設定したり、所定の空調条件が成立すると設定するようにしてもよい。ステップＳ１１が否定される場合は次以降の処理を実行せず、上記一定期間を待った後ステップＳ１１を再度実行する。送風中で且つゆらぎ風設定されている場合は、ステップＳ１２に進む。
【００１９】
ステップＳ１２において、現在の風量を算出する。風量の算出方法は特に限定されるものではなく、例えば上式（１）および（２）のように熱負荷に基づいて風量を算出する。或いはユーザが風量に関する設定をした場合はその設定情報に基づいて風量を算出する。
【００２０】
次に、ステップＳ１３において、上記風量に基づいて、左右のベント口１７から吹き出す風量の変動周期を設定する。特に、算出された上記風量が大きいほど短く、上記風量が小さいほど長くなるように、変動周期を設定する。
【００２１】
風量に基づく変動周期の設定方法は特に限定されるものではなく、算出された風量を特定の方程式に代入して変動周期を算出しても良いし、算出された風量に対応する変動周期の値を、予め記憶したテーブルから抽出してもよい。こうして設定された変動周期に基づいて、左右ベント口１７のベントドア１８を交互に開閉すれば、所望の変動周期によるゆらぎ風を得ることができる。
【００２２】
なお、図６のフローチャートは本発明に関係するステップのみを示しており、算出された風量に応じてブロアモータ１２のファン速度を制御するステップや、ゆらぎ周期Ｔに応じて左右のベントドアを不図示のアクチュエータで開閉するステップなどは図示を省略している。
【００２３】
＜３．第１の実施の形態の効果＞
以上説明した第１の実施の形態によれば次のような作用効果を奏する。
（１）左右ベントドアを交互に開閉する際、要求風量すなわちブロアファンの送風風量に応じて開閉の周期を制御し、風量が多いときはゆらぎ周期を短くし、風量が少ないときはゆらぎ周期を長くするようにした。したがって、要求風量にかかわらず、左右ベント口１７からそれぞれ送風された風が車内を一巡しやすくなる。このため、車室内の温度分布を減少させ、局所的温冷感を軽減させられるので、車内の快適性を向上させることができる。
（２）特に第１の実施の形態では、左右のベント口１７で交互に揺らぎ風を発生させているので、右回りおよび左回りの風が交互に均等に発生し、車室内全体の快適性を向上させることができる。
【００２４】
＜４．第２の実施の形態の作用（図７、図８、図９）＞
次に、第２の実施の形態について説明する。第２の実施の形態による車両用空調装置ＡＣの構成は、第１の実施の形態において図１および図２に基づき説明したものと同様であるので、図示および説明を省略する。
【００２５】
図７は、本発明の第２の実施の形態による車両用空調装置ＡＣの適用例を示す車室内の概略側面図である。例えば車室内前方の腰の高さにベント口１７が、脚の高さに前席用および後席用のフット口２３ａおよび２３ｂが設置され、ベント口１７を開閉するベントドア１８と、前席用および後席用フット口２３ａおよび２３ｂをそれぞれ開閉する２つのフットドア２４とが設けられ、ブロアファンからの送風風量によってベント口から送風される風量がフット口から送風される風量より多くなるものとする。そして、ベント口１７とフット口２３ａ，２３ｂとの間で風量を交互に変化、つまり風量が逆位相となるよう時間変化させて、実線と波線で示すゆらぎ風を生成する。なお、実線はベント口１７からの吹出し風であり、破線はフット口２３ａ，２３ｂからの吹出し風である。
【００２６】
この第２の実施の形態でも、図４に示したように、一方のベント口１７とフット口２３ａ，２３ｂとからそれぞれ吹き出される風量が逆位相となるように、ベントドア１８が開のときはフットドア２４を閉とし、その逆に、フットドア２４が開のときはベントドア１８を閉とする。
【００２７】
また、ベント口１７から送風している時、その風量が大きければ、風は早く車室内上部から車室内後部へ、更に車室内下部に至る。一方、フット口２３ａ，２３ｂから送風している時は、上記の逆まわりとなる。この場合、上述したように、フット口２３ａ，２３ｂは一般に風量が出にくいため、風が車内を巡って車室内上部に至るには時間がかかる。そこで、風量にかかわらずベント口から吹き出された風が車室内を一巡した後、フット口から空調風を吹出して車室内を一巡させ、その後、ベント口から吹き出された風が車室内を一巡するように各ドアの開閉を制御する。
【００２８】
図８は、ベント口から吹き出される風量に応じたドア開時間を実線で示し、フット口から吹き出される風量に応じたドア開時間を破線で示すグラフである。すなわち、風量が多くなるほどそれぞれの開時間は長くなる。また、上記（２）式で決定されるファン速度に対して、ベントドア開時間はフットドア開時間よりも短く設定される。このようにして決定されるベントドア開時間とフットドア開時間によるゆらぎ周期Ｔは、結局、図５に示すように風量が多くなればなるほど長くなる。
【００２９】
図９は、本発明の第２の実施の形態による車両用空調装置ＡＣの処理動作を説明するフローチャートである。この処理は、図１と同様の車両用空調装置ＡＣのオートエアコンアンプ３０によって、例えば１０秒程度の一定期間ごとに定期的に実行される。
【００３０】
ステップＳ２１およびステップＳ２２は第１の実施の形態のステップＳ１１および１２と同一であり説明を省略する。ステップＳ２３において、上記算出され風量に基づいて、ベントドア１８の開時間とフットドア２４の開時間を算出して設定する。特に、算出された上記風量が大きいほど各吹出し口ドアの開時間が長くなり、上記風量が小さいほど各吹出し口ドアの開時間が短くなるようにする。こうして算出された各吹出しドアの開閉時間に基づいて、ベント口１７のベントドア１８とフット口２３ａ，２３ｂのフットドア２４とを交互に開閉すれば、所望のゆらぎ周期Ｔのゆらぎ風を得ることができる。
【００３１】
風量に基づくドア開時間の算出方法も第１の実施の形態で説明したものと同様の方法を採用できる。
【００３２】
なお、図９のフローチャートは本発明に関係するステップのみを示しており、算出された風量に応じてブロアモータ１２のファン速度を制御するステップや、ゆらぎ周期Ｔに応じて各ドアを不図示のアクチュエータで開閉するステップなどは図示を省略している。
【００３３】
＜５．第２の実施の形態の効果＞
以上説明した第２の実施の形態によれば、第１の実施の形態において述べた効果と同様の効果が得られるが、特に第２の実施の形態では次のような作用効果を奏する。
（１）ベント口１７とフット口２３ａ，２３ｂとで交互に揺らぎ風を発生させている。このとき、ベントモードではフットモードより風量が出やすいため、ベントモードとフットモードとのモード変化に関わらず吹出された風が車室内を一巡する時間を一定にするには、ブロアモータ１２の電圧（回転数）をモード変化のたびに変化させる必要がある。しかし、第２の実施の形態では、モードによる風量の違いに応じてドア開時間を設定するので、ブロアモータ１２の回転数を変更しなくても、ベント風もフット風も同様に車室内を一巡させることができ、車室内全体の快適性を向上させることができる。
【００３４】
＜６．変形例＞
図１０は、本発明の第１および第２の実施の形態およびその変形例における風量の時間変化を例示したグラフである。図１０の各図において、横軸は時間、縦軸は風量を示し、横軸より上側には第１の吹出し口の風量、横軸より下側には第２の吹出し口の風量を示す。第１、第２の吹出し口の風量は、いずれも横軸からの距離が離れるほど大風量であることを示す。
【００３５】
例えば図１０（Ａ）は、第１の実施の形態における左側のベント口１７ａ（第１の吹出し口）と、右側のベント口１７ｂ（第２の吹出し口）の風量の時間変化の例を示している。風量が大きいほど、変動周期を短くしている。
【００３６】
また図１０（Ｂ）は、第２の実施の形態におけるベント口１７（第１の吹出し口）とフット口２３ａ，２３ｂ（第２の吹出し口）の風量の時間変化の例を示している。風量が大きい吹出し口ほど、或いは風量が出やすいモードにおける吹出し口ほど、大風量期間を短くしている。
【００３７】
さて、以上述べた第１および第２の実施の形態では、ベントドア１８やフットドア２４を「開閉する」ものとしたが、風量を大風量と小風量とに時間変化させればよいので、小風量期間にベントドア１８やフットドア２４を完全に閉じなくても構わない。
図１０（Ｃ）は、第１の実施の形態において小風量期間にベントドア１８を完全に閉じないこととした例を示している。第２の実施の形態においても同様の変形例が可能である。
【００３８】
また、左右ベント口１７のベントドア１８を、或いはベントドア１８およびフットドア２４を、「交互に」開閉するものとしたが、一方が大風量のときに他方が必ず小風量でなければならないというものではない。つまり、風量を時間変化させる位相がずれていれば、同時に大風量を送風する時間が一時的に表れても構わない。また、大風量を送風しない時間が表れても構わない。なお、この場合でも、左右ベント口１７から交互に送風される風同士が衝突する影響や、ベント口１７およびフット口２３ａ，２３ｂから交互に送風される風同士が衝突する影響を避けることは当然である。
【００３９】
図１０（Ｄ）は、第１の実施の形態において、同時に大風量を送風する時間が一時的に表れたり、大風量を送風しない時間が表れたりする場合の例を示している。第２の実施の形態においても同様の変形例が可能である。
なお、位相のずれは１８０°（逆位相）が好ましいが、これに限られるものではない。
【００４０】
また、「左右のベント口１７で」、或いは「ベント口１７およびフット口２３ａ，２３ｂで」交互にゆらぎ風を発生させるものとしたが、これに限られるものではない。例えばフット口２３ａ，２３ｂが左右又は前後にそれぞれ設けられている場合に、これら左右又は前後のフット口２３ａ，２３ｂで交互にゆらぎ風を発生させてもよい。また、第１の実施の形態において、ベント口１７とフット口２３ａ，２３ｂとで交互にゆらぎ風を発生させても良い。また、第２の実施の形態において、複数のベント口１７同士で交互にゆらぎ風を発生させてもよい。更に、他の吹出し口の組合せでも良い。
【００４１】
また上記第１および第２の実施の形態による処理は「１０秒程度」の一定期間ごとに定期的に実行されるものとしたがこれに限られるものではない。例えば、変動周期或いは大風量期間の再設定を、より頻繁に行うためには、より短い間隔で実行すればよい。
図１０（Ｅ）は、第１の実施の形態において変動周期の再設定をより頻繁に行うこととした例を示している。第２の実施の形態においても同様の変形例が可能である。
【００４２】
要するに、本発明は、一方の吹出し口（第１の吹出し口）から吹き出される空調風風量の変動周期と他方の吹出し口（第２の吹出し口）から吹き出される空調風風量の変動周期を略逆位相とし、第１および第２の吹出し口から吹き出される空調風風量の変動周期を、ブロファンの送風風量が大きいほど短くなるようにして、各吹出し口から吹き出される風量を制御する車両用空調装置であれば、その構成、制御法は上記実施の形態になんら限定されるものではない。
【００４３】
また本発明は、一方の吹出し口からの空調風が車室内を一巡するまでは他方の吹出し口からの空調風の吹出しを一方の吹き出し口からの空調風の吹き出しよりも小さくし、一方の吹出し口からの空調風が車室内を一巡した後は、その一方の吹出し口からの空調風の吹出しを小さくして、他方の吹出し口からの空調風の吹き出しを、一方の吹き出し口からの空調風の吹き出しよりも大きくするようにしてもよい。
【００４４】
＜７．用語の説明等＞
なお、以上説明した実施の形態におけるオートエアコンアンプ３０は本発明の「制御手段」に相当し、各ドア１８、２４は「吹出風量調整手段」に相当する。
第１の実施の形態における左側のベント口１７ａは「第１の吹出し口」に、右側のベント口１７ｂは「第２の吹出し口」に、それぞれ相当する。
第２の実施の形態におけるベント口１７は「第１の吹出し口」に、フット口２３ａ，２３ｂは「第２の吹出し口」に、それぞれ相当する。
【図面の簡単な説明】
【００４５】
【図１】本発明の第１の実施の形態による車両用空調装置ＡＣの全体構成を示す図である。
【図２】上記車両用空調装置ＡＣのシステム構成を示す図である。
【図３】本発明の第１の実施の形態による車両用空調装置ＡＣの適用例を示す車室内の概略平面図である。
【図４】本発明の第１の実施の形態における左右ベントドアの開閉時間を例示したタイムチャートである。
【図５】本発明の第１の実施の形態におけるゆらぎ周期と風量の関係を例示したグラフである。
【図６】本発明の第１の実施の形態による車両用空調装置ＡＣの処理動作を説明するフローチャートである。
【図７】本発明の第２の実施の形態による車両用空調装置ＡＣの適用例を示す車室内の概略側面図である。
【図８】本発明の第２の実施の形態におけるドア開時間と風量との関係を例示したグラフである。
【図９】本発明の第２の実施の形態による車両用空調装置ＡＣの処理動作を説明するフローチャートである。
【図１０】本発明の第１および第２の実施の形態およびその変形例における風量の時間変化を例示したグラフである。
【符号の説明】
【００４６】
１７…ベント口                    １７ａ…左側ベント口
１７ｂ…右側ベント口                  １８…ベントドア  
２３…フット口                      ２４…フットドア  
３０…オートエアコンアンプ          ３５…熱負荷センサ群
【図１】
0004613719.tif 000002
【図２】
0004613719.tif 000003
【図３】
0004613719.tif 000004
【図４】
0004613719.tif 000005
【図５】
0004613719.tif 000006
【図６】
0004613719.tif 000007
【図７】
0004613719.tif 000008
【図８】
0004613719.tif 000009
【図９】
0004613719.tif 000010
【図１０】
0004613719.tif 000011